(57)【要約】【課題】通信速度面、セキュリティ面、ユーザビリティ面から最適に通信端末を選択し、それらを接続する通信経路を構築すること。【解決手段】複数の無線機器と、複数の無線機器同士が直接または他の無線機器を経由して自立的に構築するネットワークとを含むように構成される無線通信システムの設定方法であって、複数の無線機器のうち一の無線機器をマスター機器として選択し、そのマスター機器が、複数の無線機器の中から通信をおこなう機器を選択する。【選択図】図１
2008283275.tif 000002
【特許請求の範囲】
【請求項１】
複数の無線機器と、複数の無線機器同士が直接または他の無線機器を経由して自立的に構築するネットワークとを含むように構成される無線通信システムの設定方法であって、
前記複数の無線機器のうち一の無線機器をマスター機器として選択し、
該マスター機器が、前記複数の無線機器の中から通信をおこなう機器を選択することを特徴とする無線通信システムの設定方法。
【請求項２】
前記通信をおこなう機器の選択は、前記マスター機器に付属される表示装置及び操作装置での操作によって実施することを特徴とする請求項１記載の無線通信システムの設定方法。
【請求項３】
前記通信をおこなう機器の選択は、前記マスター機器に付属される表示装置に表示された複数の機器までの通信可能エリアの操作装置からの指定により実施することを特徴とする請求項１または２記載の無線通信システムの設定方法。
【請求項４】
前記通信をおこなう機器の選択は、前記マスター機器に付属される表示装置に表示される複数の機器を、前記マスタ機器に付属される操作装置から指定する事により実施することを特徴とする請求項１または２記載の無線通信システムの設定方法。
【請求項５】
前記通信システムに参加している各機器は、それぞれの機器に付属される表示装置に表示された通信可能な複数の機器を、操作装置により指定する事によって通信経路が指定することを特徴とする請求項１または２記載の無線通信システムの設定方法。
【請求項６】
通信経路の指定は、前記通信システムに参加している複数の機器の中で、マスターとなった機器からの指定によることを特徴とする請求項５記載の無線通信システムの設定方法。
【請求項７】
前記マスター機器による経路指定は、データ送信元の機器とデータ送信先の機器までの最短通信距離により選択することを特徴とする請求項６記載の無線通信システムの設定方法。
【請求項８】
前記マスター機器による経路指定は、データ送信元及びとデータ送信先の機器の間で、ネットワーク負荷が少ない経路を指定することを特徴とする請求項６記載の無線通信システムの設定方法。
【請求項９】
複数の無線機器と、複数の無線機器同士が直接または他の無線機器を経由して自立的に構築するネットワークとを含むように構成される無線通信システムであって、
前記複数の無線機器のうち一の無線機器をマスター機器として選択し、
該マスター機器が、前記複数の無線機器の中から通信をおこなう機器を選択して設定されることを特徴とする無線通信システム。
【請求項１０】
前記通信をおこなう機器の選択は、前記マスター機器に付属される表示装置及び操作装置での操作によって実施されることを特徴とする請求項９記載の無線通信システム。
【請求項１１】
前記通信をおこなう機器の選択は、前記マスター機器に付属される表示装置に表示された複数の機器までの通信可能エリアの操作装置からの指定により実施されることを特徴とする請求項９または１０記載の無線通信システム。
【請求項１２】
前記通信をおこなう機器の選択は、前記マスター機器に付属される表示装置に表示される複数の機器を、前記マスタ機器に付属される操作装置から指定する事により実施されることを特徴とする請求項９または１０記載の無線通信システム。
【請求項１３】
前記通信システムに参加している各機器は、それぞれの機器に付属される表示装置に表示された通信可能な複数の機器を、操作装置により指定する事によって通信経路が指定されることを特徴とする請求項９または１０記載の無線通信システム。
【請求項１４】
通信経路の指定は、前記通信システムに参加している複数の機器の中で、マスターとなった機器からの指定によることを特徴とする請求項１３記載の無線通信システム。
【請求項１５】
前記マスター機器による経路指定は、データ送信元の機器とデータ送信先の機器までの最短通信距離により選択されることを特徴とする請求項１４記載の無線通信システム。
【請求項１６】
前記マスター機器による経路指定は、データ送信元及びとデータ送信先の機器の間で、ネットワーク負荷が少ない経路が指定されることを特徴とする請求項１４記載の無線通信システム。
【請求項１７】
コンピュータシステムに請求項９から１６のいずれか１項に記載の機能を実現させることを特徴とするプログラム。
【請求項１８】
コンピュータシステムに請求項９から１６のいずれか１項に記載の機能を実現させるプログラムを格納したことを特徴とする記録媒体。
【発明の詳細な説明】
【技術分野】
【０００１】
本発明は、ネットワークを用いる電子機器装置に関するものである。
【背景技術】
【０００２】
近年、メッシュネットワークの利用が広く検討されるようになった（例えば特開２００６−２１１４０６号公報参照）。
【０００３】
メッシュネットワークとは、スター型，バス型，リング型といったネットワーク形態の一種である。メッシュネットワークは、通信機器同士が各個に通信を行うことで網の目状のネットワークを構築する。
【０００４】
網の目状のネットワークでは複数の通信経路を構築することができるので、障害に強い
ネットワークを構築できる。現在の電力送電網やインターネット網などはメッシュネット
ワークの一種と言える。
【０００５】
インターネットの普及にともない、無線ＬＡＮの利用者が急増しており、その適用範囲も企業内ネットワークにとどまらず、家庭内ネットワークや屋外ホットスポットサービス等、広範囲にわたっている。無線ＬＡＮが普及している要因としては、基地局や無線ＬＡＮカード等の無線ＬＡＮ製品の低価格化、また標準化機構であるＩＥＥＥ８０２．１１ＷＧやＷｉＦｉ  Ａｌｌｉａｎｃｅによる相互接続性の確保などが挙げられるが、何よりもユーザーが通信ケーブルの煩わしさから開放される事により大きな利便性を感じている為だと考えられる。
【０００６】
しかし、無線ＬＡＮの電波到達距離は最大で数百ｍ程度でありそれ程大きくはない。そのため、広範囲にわたって無線ＬＡＮのエリアを提供しようとした場合、複数の基地局（ＡＰ：アクセスポイント）を面的に設置する必要がある。通常、ＡＰ間の接続にはバックボーンとして有線ネットワークの敷設が必要になる為、費用が掛かり、また柔軟性や拡張性に乏しくなるという課題がある。
【０００７】
そこで、上述のＡＰ間の接続も無線通信で実現することで、上記の課題を解決しようとする取り組みがメッシュネットワークである。このような通信形態は複数のＡＰが無線リンクで網の目状に接続されていることからワイヤレスメッシュネットワークと呼ばれており、次世代の無線通信技術として注目されている。
【０００８】
また、ＡＰを使用しないでも、無線端末機器同士が相互に通信を行う事によって、ＡＰやサービスエリアとは無関係に広がっていくネットワークでもある。通信データを包含するパケットは複数の無線端末機器間をバケツリレー方式で次々と渡って行き、最終的に目的地に到達する。またゲートウェイを通じて外部との通信も可能である。従って、インフラが整備されていない場所でも簡単に既存の通信技術を利用できる。
【０００９】
メッシュネットワークのメリットは、機器個々の配置まで気にする必要は無く、レイアウト変更等に対して柔軟性があるという事。また、通信距離が比較的短い為に低出力で高速な通信が可能であり、省電力に効果がある。そして通信経路が複数確保できるために障害に強いという事である。
【００１０】
しかし、無線通信機器同士がパケットを受け渡しする事から、受け渡しする無線通信機器の数（マルチホップの段数）が増えると、隣接の無線局から受信したパケットを中継する際に、中継される無線パケットが他の無線局の干渉源となり、無線パケットの衝突や、送信待ち遅延が発生してスループットが低下するという課題もある。中継パケット毎に確認応答用のＡＣＫパケットが返信される為、このＡＣＫパケットが無線帯域を占める割合が高くなることもスループット低下の要因である。
【００１１】
ここで、アクセスポイントまたは端末と無線によってネットワークへ接続する無線ネットワーク端末において、新たな無線ネットワーク端末を追加する場合、前記アクセスポイントまたは前記端末とこの無線ネットワーク端末との間で通信できる通信モードを設定し、その通信モードを用いてこの無線ネットワーク端末へ初期設定を行うことで、無線ネットワーク端末を新たにネットワークへ追加するときに、このネットワークの通信モードが「中継通信モード」および「直接通信モード」のいずれであっても初期設定を実行できる技術が開示されている（例えば、特許文献１参照）。
【００１２】
また、無線端末をインフラモードに設定し、基地局と接続、インフラネットワークに参加、印刷要求を無線ネットワークサーバに送信し、無線ネットワークサーバは、プリントサーバ機能を有し、印刷要求を受信し、無線ネットワークサーバは、送信先である印刷装置の通信ポート番号を確認し、ｌｐｒ印刷サービスの場合、アドホックネットワークの印刷装置へ印刷パケットを送信し、印刷装置は、印刷データを出力し、印刷装置の通信ポート番号がその他の通信ポート番号の場合、無線ネットワークサーバは、インフラネットワークのその他の印刷装置へ印刷パケットを送信することで、トラフィック量の多いサービスをアドホックネットワークで管理することにより、無線トラフィックの集中によりインフラモードで使用するチャネルの無線帯域のみスループットが低下してしまうことを回避することができる技術が開示されている（例えば、特許文献２参照）。
【特許文献１】特開２００３−２１８８８５号公報
【特許文献２】特開２００５−０８００２４号公報
【発明の開示】
【発明が解決しようとする課題】
【００１３】
しかしながら、ワイヤレスメッシュネットワークは、その構築が比較的容易であるなど、さまざまなメリットがあるが、逆に効率的な通信ルートの選択や、セキュリティ面などで問題を有している。
【００１４】
そこで、本発明では、複数の通信機器からメッシュネットワークを構成すべく、通信端末を選択し、それらを接続する通信経路を構築する必要があるが、通信速度面、セキュリティ面、ユーザビリティ面から最適にその選択方法、経路構築（設定）方法を提供することを目的とする。
【課題を解決するための手段】
【００１５】
請求項１記載の発明は、複数の無線機器と、複数の無線機器同士が直接または他の無線機器を経由して自立的に構築するネットワークとを含むように構成される無線通信システムの設定方法であって、複数の無線機器のうち一の無線機器をマスター機器として選択し、該マスター機器が、複数の無線機器の中から通信をおこなう機器を選択することを特徴とする無線通信システムの設定方法である。
【００１６】
請求項２記載の発明は、請求項１記載の無線通信システムの設定方法において、通信をおこなう機器の選択は、マスター機器に付属される表示装置及び操作装置での操作によって実施することを特徴とする。
【００１７】
請求項３記載の発明は、請求項１または２記載の無線通信システムの設定方法において、通信をおこなう機器の選択は、マスター機器に付属される表示装置に表示された複数の機器までの通信可能エリアの操作装置からの指定により実施することを特徴とする。
【００１８】
請求項４記載の発明は、請求項１または２記載の無線通信システムの設定方法において、通信をおこなう機器の選択は、マスター機器に付属される表示装置に表示される複数の機器を、マスタ機器に付属される操作装置から指定する事により実施することを特徴とする。
【００１９】
請求項５記載の発明は、請求項１または２記載の無線通信システムの設定方法において、通信システムに参加している各機器は、それぞれの機器に付属される表示装置に表示された通信可能な複数の機器を、操作装置により指定する事によって通信経路が指定することを特徴とする。
【００２０】
請求項６記載の発明は、請求項５記載の無線通信システムの設定方法において、通信経路の指定は、通信システムに参加している複数の機器の中で、マスターとなった機器からの指定によることを特徴とする。
【００２１】
請求項７記載の発明は、請求項６記載の無線通信システムの設定方法において、マスター機器による経路指定は、データ送信元の機器とデータ送信先の機器までの最短通信距離により選択することを特徴とする。
【００２２】
請求項８記載の発明は、請求項６記載の無線通信システムの設定方法において、マスター機器による経路指定は、データ送信元及びとデータ送信先の機器の間で、ネットワーク負荷が少ない経路を指定することを特徴とする。
【００２３】
請求項９記載の発明は、複数の無線機器と、複数の無線機器同士が直接または他の無線機器を経由して自立的に構築するネットワークとを含むように構成される無線通信システムであって、複数の無線機器のうち一の無線機器をマスター機器として選択し、該マスター機器が、複数の無線機器の中から通信をおこなう機器を選択して設定されることを特徴とする無線通信システムである。
【００２４】
請求項１０記載の発明は、請求項９記載の無線通信システムにおいて、通信をおこなう機器の選択は、マスター機器に付属される表示装置及び操作装置での操作によって実施されることを特徴とする。
【００２５】
請求項１１記載の発明は、請求項９または１０記載の無線通信システムにおいて、通信をおこなう機器の選択は、マスター機器に付属される表示装置に表示された複数の機器までの通信可能エリアの操作装置からの指定により実施されることを特徴とする。
【００２６】
請求項１２記載の発明は、請求項９または１０記載の無線通信システムにおいて、通信をおこなう機器の選択は、マスター機器に付属される表示装置に表示される複数の機器を、マスタ機器に付属される操作装置から指定する事により実施されることを特徴とする。
【００２７】
請求項１３記載の発明は、請求項９または１０記載の無線通信システムの設定方法において、通信システムに参加している各機器は、それぞれの機器に付属される表示装置に表示された通信可能な複数の機器を、操作装置により指定する事によって通信経路が指定されることを特徴とする。
【００２８】
請求項１４記載の発明は、請求項１３記載の無線通信システムにおいて、通信経路の指定は、通信システムに参加している複数の機器の中で、マスターとなった機器からの指定によることを特徴とする。
【００２９】
請求項１５記載の発明は、請求項１４記載の無線通信システムにおいて、マスター機器による経路指定は、データ送信元の機器とデータ送信先の機器までの最短通信距離により選択されることを特徴とする。
【００３０】
請求項１６記載の発明は、請求項１４記載の無線通信システムにおいて、マスター機器による経路指定は、データ送信元及びとデータ送信先の機器の間で、ネットワーク負荷が少ない経路が指定されることを特徴とする。
【００３１】
請求項１７記載の発明は、コンピュータシステムに請求項９から１６のいずれか１項に記載の機能を実現させることを特徴とするプログラムである。
【００３２】
請求項１８記載の発明は、コンピュータシステムに請求項９から１６のいずれか１項に記載の機能を実現させるプログラムを格納したことを特徴とする記録媒体である。
【発明の効果】
【００３３】
本発明によれば、複数の通信機器からメッシュネットワークを構成すべく、通信端末を選択し、それらを接続する通信経路を構築する必要があるが、通信速度面、セキュリティ面、ユーザビリティ面から最適にその選択方法、経路構築（設定）方法を提供することができる。
【発明を実施するための最良の形態】
【００３４】
図１にメッシュネットワークの接続構成例を示す。無線機能を擁した端末機器９台が無線ＬＡＮのアクセスポイント（以下、ＡＰという）を介して有線ＬＡＮに接続されている。各端末機器同士は無線により常時、または適宜に接続され、相互にデータ通信が可能である。各端末機器同士が通信する場合、送信側は目的とする送信先の端末機器のアドレスを送信データに付加する。同時に自分のアドレスも送信データに付け加える。前記のアドレスは、例えば機器固有のＩＤでも良いし、無線ＬＡＮで使用されるＩＰアドレスやＭＡＣアドレスでも良い。
【００３５】
例えば、端末Ａから端末Ｉにデータを送信したい場合は、勿論ダイレクトに転送しても良いが、端末間の距離が遠く、無線電波が届かない位置にあるとした場合、端末Ａは近くて通信可能な端末を探し、その端末にデータを送信する。メッシュネットワークでは近隣の端末にデータを送信するが、近隣の端末が複数ある場合は複数の端末に一斉に同報通信する。図１であれば端末Ｂや端末Ｄである。
【００３６】
データを受け取った端末Ｂと端末Ｄはデータに付加されている前記の送信先アドレスと送信元アドレスを検知し、送信先アドレスが自分宛では無いと判断すると、データを送信する為に近くの端末を探索する。
【００３７】
この時、端末Ａは送信元機器である為送信相手からは除外される。図１では端末Ｂの場合は端末Ｃと端末Ｅ、端末Ｄの場合は端末Ｇと端末Ｅに送信と言った具合である。
【００３８】
データを渡された端末Ｃ、端末Ｅ、端末Ｇは同じ方法で自分宛のデータでは無いと判断すると、近隣の端末を探索してデータを渡す。図１の場合は端末Ｆと端末Ｈである。データを渡された端末Ｆと端末Ｈは自分宛のデータでは無いと判断するので、近隣の端末を探す。その結果、目的とする送信先の端末Ｉが見つかり、データを送信する。
【００３９】
データを受け取った端末Ｉは送信先アドレスを比較して自分宛のデータであると判断すると、データ受信の結果として応答信号（以下、ＡＣＫ信号という）を送信元アドレスに返す。ＡＣＫ信号は上記の送信経路を今度は逆に端末Ａに向けて転送されて行き、端末ＡがＡＣＫ信号を受け取ると、一連のデータ送受信動作が終了すると言った具合である。データ転送中に一台の端末に対して複数端末からデータ送信されると、早く到達した方のデータを受信することになる。
【００４０】
また、全く同時に複数端末からデータが送信された場合、電波干渉により送信データが壊れ、送信が上手く行かない場合がある。その場合は無線ＬＡＮ等で採用されているＣＳＭＡ／ＣＡ（搬送波感知多重アクセス／衝突回避）方式等により、一定時間後に再送される。ＡＰを通して有線ＬＡＮ上の端末機器にデータ送信する場合も上記と同様の動作となる。
【００４１】
図２はメッシュネットワークを構成している端末機器（図中ではＡからＭの１３台）の中から９台（図中ではＡからＩの９台）を通信領域を指定して選択し、グループ化する一例である。
【００４２】
これは、例えば社内／社外の会議等で、情報漏洩を防ぐ為にグループ化した端末同士しか通信したくないといった場合を想定している。図中では端末Ａから端末Ｉまでの９台が相互にデータのやり取りが出来るが、グループ外である端末Ｊ，Ｋ，Ｌ，Ｍの４台にはグループ内のデータを見る事が出来ない。また例えばグループ内の端末Ａがデータを送信したい場合、近隣の端末を探索してデータを渡すが、図中の場合、端末Ｊにはデータを渡さない。あくまでグループ内でのデータ送受信に限られる。
【００４３】
図３は、図２が通信可能領域の指定であったのに対して、個々の端末を指定してグループ化する一例を示している。ここでも端末Ａから端末Ｉが選択されている例を示している。端末Ｊから端末Ｍの４台はグループ外である事を示す。データ送受信動作は図２と同様である。
【００４４】
メッシュネットワークは規格上、ネットワークを構成する上でそのネットワークを管理するマスタ端末を指定することができる。マスタ端末の決定はネットワークをいち早く構築しようとする端末（例えば、一番早く起動した端末機器）や、ネットワークを構成している端末の中からユーザ指定により決定する方法も考えられる。
【００４５】
図４は、上記の何らかの方法により決定されたマスタ端末に付属される表示装置上に表示された、メッシュネットワークの構成表示の一例である。例えば、端末Ａがマスタ端末であれば、自分を中心に近隣の端末がどの方向にあるか、また距離がどれ程離れているかといった情報を分析して表示する。方向の分析は、例えば、端末Ａが指向性アンテナを持っており、近隣端末の探索時にアンテナの方向を時分割で変えて行き、その方向毎に近隣端末探索用のパケットを送信し、それに対する近隣端末からのＡＣＫ信号を受信する事により、自分の周りにある端末の大凡の方向を分析するという方法が考えられる。
【００４６】
また、距離の分析に関しては、前記同様、指向性アンテナの方向を変えて行き近隣端末の方向を分析すると同時に、受信される電波強度を測定する事により自分との大凡の距離を分析するという方法が考えられる。
【００４７】
上記一連の動作をフローチャートにしたものが図７である。ネットワークを管理する為のマスタ権を獲得（Ｓ７１）した端末機器は、まず、前記に示した方法等により周辺の無線端末機器の探索を開始する（Ｓ７２）。この時方向性と同時に各端末までの距離を計測する（Ｓ７３）。
【００４８】
次に、周辺端末機器の状態情報を収集する（Ｓ７４）。この状態情報の内容は、ＣＰＵ（中央処理装置）の負荷情報やソフトウェアのバージョン、ネットワークの最大性能（速度等）情報等が例として挙げられる。
【００４９】
そして、取得した情報を基に現状のネットワークマップを作成する（Ｓ７５）。例えば図４の様な周辺端末の配置が分かるようなマップである。マスタ端末は自分が作成したネットワークマップを周辺端末へ送信する事により、現状のネットワークを構成している端末機器の配置を知らせる（Ｓ７６）。
【００５０】
マスタ端末は上記のネットワークマップを基に、自分が通信したい端末をエリア指定、またはその端末指定によりグループ化する事が出来る。表示装置に表示されたネットワークマップ上に操作装置からエリア指定や端末毎の指定が出来る。操作装置は、例えばキーボードやマウス、タッチパネル等が考えられる。
【００５１】
このグループ化は、例えば会議等の討議内容や資料の外部への漏洩を防止したい場合、また通信エリアを狭くする事で通信のスループットを向上させたい場合に有効と考えられる。図８に通信エリア指定、また図９に個々の端末指定の動作をフローチャートに示している。
【００５２】
図５はマスタ端末に表示されたネットワークマップの表示例である。この表示例には各周辺端末機器の状態情報を基にした各端末の負荷状態が色別に表示されている。例では濃い灰色が負荷が大きい作業をしている事を示し、一段薄い灰色が中程度の負荷、色掛かっていない白色が低負荷といった具合である。マスタ端末機器はこのマップを参考にして、データを送信したい相手が居た場合に、負荷が大きい端末を避けて通信経路の指定をする事でスループットを確保した通信が行える。
【００５３】
図５ではマスタ端末Ａが端末Ｎにデータを送信したい場合、勿論直接送信する事も出来るが、通信距離が遠く転送速度が上がらない場合には、端末Ｂが現在負荷が大きい為、端末Ｍを指定し、端末Ｍ経由で端末Ｎに送信するといった経路指定が出来る。
【００５４】
一方、周辺端末がその他の端末にデータ送信したい場合、マスタ端末が経路指定する方法がある。例えば図５の中で、端末Ｇが端末Ｃにデータ送信したい場合、マスタ端末Ａは転送スループット、最短距離を考慮して端末Ｇ→端末Ｅ→端末Ｃという転送経路を指定する。この時、端末Ｅの負荷が大きい場合は、その次に距離が短い端末Ｇ→端末Ａ→端末Ｃといった経路も指定可能である。
【００５５】
また、図５で説明した内容は、各周辺端末でも可能である。図６はその一例である。図中では端末Ｂが端末Ｉに対してデータ送信したい場合である。端末Ｂにはマスタ端末から同じ様なネットワークマップが送られているので、最短距離の指定経路が可能である。例えば端末Ｂ→端末Ａ→端末Ｉといった経路が指定出来る。
【００５６】
今まで述べてきたネットワークのエリア指定、端末指定や経路指定等の操作は、端末機器の表示装置や操作装置を利用してユーザが簡単に実行できるユーザインターフェースから可能である。
【００５７】
上記の本実施の形態によれば、メッシュネットワークに参加している各端末機器の中で、そのネットワークの主管理を行うマスターとなる端末機器を選択でき、マスターとなった端末機器はそのメッシュネットワークに参加している複数の端末機器の中で、通信可能な端末機器を選択できる事により、選択された機器のみの通信を行う事でセキュリティが確保できる。
【００５８】
また、通信可能な端末機器の選択は、マスター端末機器に付属される表示装置及び操作装置での操作によって実施される事により、ユーザに対して煩わしい操作を必要とせず、簡単な操作で実行できるユーザインターフェースを提供できる。
【００５９】
また、通信可能な端末機器の選択は、マスター端末機器に付属される表示装置に表示された複数の端末機器までの通信可能エリアの操作装置からの指定により実施される事により、簡単に操作可能なユーザインターフェースが提供できる。
【００６０】
また、通信可能な端末機器の選択は、マスター端末機器に付属される表示装置に表示される複数の端末機器を、マスタ端末機器に付属される操作装置から指定する事により、簡単に操作可能なユーザインターフェースが提供できる。
【００６１】
また、メッシュネットワークシステムに参加している各端末機器は、それぞれの端末機器に付属される表示装置に表示された通信可能な複数の端末機器を、操作装置により指定する事によって通信経路が指定できる事により、マスタ端末のみではなく、周辺端末機器からの操作出来る事でマスタ端末の負荷を減らす事ができ、ネットワーク効率の向上、及びユーザビリティ向上に繋がる。
【００６２】
また、通信経路の指定は、メッシュネットワークに参加している複数の通信機器の中で、マスターとなった端末機器からの指定による事で、ネットワーク効率向上、及びユーザビリティ向上に繋がる。
【００６３】
また、マスター端末機器による経路指定は、データ送信元の端末機器とデータ送信先の端末機器までの最短通信距離により選択出来る事でスループット向上、及びユーザビリティ向上に繋がる。
【００６４】
また、マスター端末機器による経路指定は、データ送信元及びとデータ送信先の端末機器の間で、ネットワーク負荷が少ない経路を指定出来る事でスループット向上、及びユーザビリティ向上に繋がる。
【００６５】
なお、上述する各実施の形態は、本発明の好適な実施の形態であり、本発明の要旨を逸脱しない範囲内において種々変更実施が可能である。例えば、マスタ端末等の機能を実現するためのプログラムを端末に読込ませて実行することにより端末の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【図面の簡単な説明】
【００６６】
【図１】本発明の実施形態のメッシュネットワークの接続構成例を示す図である。
【図２】本発明の実施形態の端末機器を選択しグループ化する一例を示す図である。
【図３】本発明の実施形態の端末機器を選択しグループ化する一例を示す図である。
【図４】本発明の実施形態のメッシュネットワークの構成表示の一例を示す図である。
【図５】本発明の実施形態のマスタ端末に表示されたネットワークマップの表示例を示す図である。
【図６】本発明の実施形態のネットワークマップの表示例を示す図である。
【図７】本発明の実施の形態の動作を示すフローチャートである。
【図８】本発明の実施形態の通信エリア指定の動作を示すフローチャートである。
【図９】本発明の実施形態の個々の端末指定の動作を示すフローチャートである。
【符号の説明】
【００６７】
Ａ〜Ｉ    端末機器
ＡＰ    アクセスポイント
【図１】
2008283275.tif 000003
【図２】
2008283275.tif 000004
【図３】
2008283275.tif 000005
【図４】
2008283275.tif 000006
【図５】
2008283275.tif 000007
【図６】
2008283275.tif 000008
【図７】
2008283275.tif 000009
【図８】
2008283275.tif 000010
【図９】
2008283275.tif 000011